(57)【要約】【課題】書類収納具に照明装置部を付帯させることにより、利便性に富んだ収納具を提供する。【解決手段】事務用品を収容保持できる収納具を設け、該収納具適所に、発光ダイオードを用いた照明装置部を設けるとともに、該照明装置部を収納具に対し起立可能となるよう設けたことを特徴とする。【選択図】図６
2014136150.tif 000002
【特許請求の範囲】
【請求項１】
事務用品を収容保持できる収納具を設け、該収納具適所に、発光ダイオードを用いた照明装置部を設けるとともに、該照明装置部を収納具に対し起立可能となるよう設けたことを特徴とする起立型照明装置部付き収納具。
【請求項２】
収納具として、開閉蓋を有する事務用収納具を用いてなる請求項１記載の起立型照明装置部付き収納具。
【請求項３】
収納具として、書類保持用バインダーを用いてなる請求項１記載の起立型照明装置部付き収納具。
【請求項４】
収納具として、書類保持用バインダーを付加した開閉蓋を有する事務用収納具を用いてなる請求項１記載の起立型照明装置部付き収納具。
【発明の詳細な説明】
【技術分野】
【０００１】  この発明は、市販の事務用収納具に、発光ダイオードによる起立型照明装置を設けた、照明装置部付きの収納具に関する。
【背景技術】
【０００２】  従来より、種々の事務用収納具が多用されているが、この収納具に照明装置を設けたものは見あたらない。
【発明の概要】
【発明が解決しようとする課題】
【０００３】  事務用収納具は、一般的に多用されるものは、開閉蓋付きの略半透明平形収納具であり、書類等を入れて運搬用に用いられている。一方、発光ダイオード利用の照明具は、小形据え置き型やキーホルダーに仕込まれて手に持って使用するものなどがある。
このような収納具にて書類を運搬しているときに、種々記入事項が必要な場合があるが、その記入場所が十分な明るさを有しないことがある。
例えば、学会での発表や勉強会などでのスライド使用時に室内照明を下げているとき、夜行バスや電車および航空機内、また、出張先の宿泊ホテルでの枕元など記入や読書に不便なことがあるが、別途に照明具を携帯するのも煩わしく、また照明具と収納具とが一体化されていないために、この照明具を忘れる恐れもあるが、これといった有効な解決案が見あたらないのが現状である。
本発明は以上に鑑み、収納具に照明装置を設けることにて、いつでも必要に応じて収納具面に必要な照度を与えることのできる、新規かつ有用なる手段を提供するべく発明されたものである。
【課題を解決するための手段】
【０００４】  課題を解決する手段として本発明は以下の構成とした。
事務用品を収容保持できる収納具を設け、該収納具適所に、発光ダイオードを用いた照明装置部を設けるとともに、該照明装置部を収納具に対し起立可能となるよう設ける。
本発明は以上の構成よりなる起立型照明装置部付き収納具である。
【発明の効果】
【０００５】  本発明は以下の効果を有する。
１．収納具と照明装置部が一体となっているので、別途に照明具を準備する必要がない。
２．収納具に対し照明装置部は起立型となっており、かつ発光ダイオードによる発光部は回動可能であるため、所望の位置角度にて照らすことができる。
３．発光体に発光ダイオードを用いたので、長時間の連続照明ができる。
４．コントローラーを用いることにて、所望の照度に調整して用いることができる。
５．照明装置部をコンパクト化することにて、収納具内外に納めることができて移動運搬に便利である。
【図面の簡単な説明】
【０００６】
【図１】本発明の平面図（蓋閉時）
【図２】本発明の正面図（蓋閉時）
【図３】本発明の平面図（蓋開時）
【図４】本発明の要部拡大図
【図５】本発明の要部拡大図
【図６】本発明の使用説明図（蓋開時）
【図７】本発明の他例説明図
【図８】本発明の他例説明図（要部拡大）
【発明を実施するための最良の形態】
【０００７】  以下、本発明の実施形態について説明する。
図において、１は市販の書類収納具で、合成樹脂製の略平板型直方体であり、書類等を収納する収納具本体部２と、この本体部に蝶番的に一辺が開閉可能に一体接続される収納具蓋部３があり、また、本体部と蓋部に共通する空隙部４を有している。
この空隙部の本体側には、蓋を本体に保持固定するための略平板状の蓋保持具５が設けられ、この蓋保持具の一部は、該空隙部本体側内方に突出する突起６にて回動可能であり、空隙部蓋側にも同様の突起７があって、蓋保持具に設けた切除部に押圧保持可能となっている。また、収納具本体側には後述の照明装置部隔離収納のための内部仕切り壁８が本体と一体に形成され、蓋の空隙部適所にはＵ形の切除部９が設けられる。
１０は照明装置部である。この照明装置部は以下の各部にて構成される。
１１は中空柱体であり、適宜長の合成樹脂製管体である。１２は市販のコントローラーで、調光ダイヤル１３を有し、ボタン電池を内蔵しており、図３のごとく収納具の空隙部に、この空隙部に設けた切り欠きよりダイヤルの一部を外方に突出させて取り付けられる。１４はその側面に孔を有する下部開放のキャップで、中空柱体上部に嵌入される。
１５は有孔の回動板で、この孔内に上記キャップが位置し、このキャップに対し回動板は回動可能である。なお、回動板の上方への脱落防止のために、キャップ上縁は少し膨大している。１６はカバーで、その下部は開放され、回動板にその上面が固着される。
１７は接続電線で、その一方は前記コントローラーに接続され、他方は中空柱体内より上方に向かい、キャップの孔より側方に突出してカバー内に向かい、該接続電線端には発光ダイオードによる発光部１８が接続される。この中空柱体の下端近傍側面は、前記の本体側空隙部に回動可能に螺着される。
以上が本発明の一実施形態である。【０００８】  次に、本発明の使用について説明する。
まず蓋保持具を回して蓋のロックを外し、蓋を開ける。次に、内部仕切り壁内の照明装置部をつまんで持ち上げると、この照明装置部の柱体下部はケースに回動可能にて螺着されているので、この螺着部を回動中心として起立する。蓋を元の位置に戻すと、蓋に設けたＵ形の切除部内に柱体が位置して起立状態が保たれる。コントローラーのダイヤルを回して照度を調節し、回動板はカバーに固定されているので、このカバーを所望の角度に回して調整する。この状態において、図６のように収納具上面は発光ダイオードにて照らされた状態となるために、書類を読んだりその記入等を、回りの照度が低い場合であっても容易に行うことができる。使用後は、前述と逆の手順にて照明装置部を収納具内に収納して移動運搬することができる。
図７〜図８は本発明の他例を示すものである。
前例においては、照明装置部を収納具内に収納するものとしたが、本例はこの照明装置部をケース外に設けたものである。図において、２０は中空柱体、２１はコントローラー、２３は調光ダイヤル、２４は螺着部である。前例がコントローラーと中空柱体を分離して設けたのに対し、本例では中空柱体に嵌入するキャップにコントローラーを設けた点が異なっている。また、本例では中空柱体下端を角体に固着し、この角体を収納具空隙部分に回動可能に螺着している。従って、本例では収納具内を狭めることなく照明装置部を設けて、従来の収納具とほぼ同様の収納容積を得ることができる特徴がある。【０００９】  以上、本発明について記したが、本発明は書類収納具に照明手段を設けたところにその特徴を有するものである。従来はこのような物品がないために、照明手段を別途準備する必要があったが、本発明にてより利便性の高い手段が得られるものとなったのである。
なお、記述例においては、照明装置部の起立手段を螺着方式としたが、他にユニバーサルジョイントやボールジョイント方式として、より広範囲の照明位置調整を行うことができる。また、中空柱体を管体としたが、中空角体その他の手段としてもよく、中空柱体等を伸縮可能として構成してもよい。また、既例では照明装置部を空隙部近傍に位置させているが、収納具内の他の位置に設けてもよく、螺着方式の場合はケース壁適所にビス用貫通孔を設けると、螺着位置が定まって便利である。なお、他例として、蓋保持具自体を各種ジョイントを用いて照明装置部として設けてもよい。また、書類収納ケース以外に、市販の書類保持用のバインダーやバインダー機能を外面に付加した書類収納ケースに、起立可能なる照明装置部を設けることも可能である。
以上のごとく、本発明によれば、発光部を３６０度回して照らすことができ、照明装置部は収納具付属のために安定的に載置して使用でき、ケース上を照らせるので、狭い席上でも手元を照らしてメモなどを書くことができるなど、種々の利点を有する有用なる物品を得ることができる。
【符号の説明】
【００１０】  １    書類収納具
２    収納具本体部
３    収納具蓋部
４    空隙部
５    蓋保持具
６    突起
７    突起
８    内部仕切り壁
９    切除部
１０  照明装置部
１１  中空柱体
１２  コントローラー
１３  調光ダイヤル
１４  キャップ
１５  回動板
１６  カバー
１７  接続電線
１８  発光部
１９  螺着部
２０  中空柱体
２１  コントローラー
２２  調光ダイヤル
２３  角体
２４  螺着部
【図１】
2014136150.tif 000003
【図２】
2014136150.tif 000004
【図３】
2014136150.tif 000005
【図４】
2014136150.tif 000006
【図５】
2014136150.tif 000007
【図６】
2014136150.tif 000008
【図７】
2014136150.tif 000009
【図８】
2014136150.tif 000010